【手続補正書】
【提出日】平成18年11月30日(2006.11.30)
【手続補正１】
【補正対象書類名】明細書
【補正対象項目名】特許請求の範囲
【補正方法】変更
【補正の内容】
【特許請求の範囲】
【請求項１】
濾材システムの暗渠ブロック(10)であって、該暗渠ブロック(10)は、
上壁(52)と、底壁(54)と、上壁(52)及び底壁(54)を繋ぐ２つの側壁(56,57)とを有して、暗渠ブロックの高さを１７.８ｃｍ(約７インチ)から２２.９ｃｍ(約９インチ)の範囲とし；
少なくとも２つの主分配通路(20a,20b)を形成する中央分離壁(58)と更に少なくとも２つの副分配通路(30a,30b)を形成する複数の路分離壁(25x,25y)とを有し、
各副分配通路(30a,30b)は、１以上の路分離壁(25x,25y)によって主分配通路(20a,20b)から分離されていて、各路分離壁(25x,25y)は上部分(28)と下部分(27)とを具え；
前記路分離壁(25x,25y)の下部分は底壁(54)から垂直に立ち上がり、路分離壁の上部分は約１２０°から１２５°の範囲の角度で傾斜しており；
中央分離壁(58)は、上壁(52)と下壁(54)の間に伸び、２つの主分配通路(20a,20b)を互いに分け、更に２つの副分配通路(30a,30b)を互いに分けており、前記中央分離壁(58)は、暗渠ブロックを２つの使用可能な２分の１の大きさのブロックに分離できる分割可能な厚さを具えている；
暗渠ブロック。
【請求項２】
主分配通路(20a,20b)は、上領域(22)、中間領域(24)、下領域(26)を有しており、上領域は空気流通用であり、下領域は水流通用であり、中間領域は空気／水境界層を有している、請求項１に記載の暗渠ブロック(10)。
【請求項３】
路分離壁(25x,25y)の上部分(28)には、複数の空気分配孔(44)を形成している、請求項１に記載の暗渠ブロック(10)。
【請求項４】
路分離壁(25x,25y)の下部分(27)には、複数の水分配孔(42)を形成している、請求項１に記載の暗渠ブロック(10)。
【請求項５】
上壁(52)には、複数の空気及び水放出孔(53)を形成している、請求項１に記載の暗渠ブロック(10)。
【請求項６】
側壁(56,57)は、内表面(56a,57a)と外表面(56b,57b)を有しており、２つの側壁(56,57)の外表面(56b,57b)間の距離は、暗渠ブロックの幅を形成し、該幅寸法は、３０.５ｃｍ(約１２インチ)乃至６０.９ｃｍ(約２４インチ)の範囲である、請求項１に記載の暗渠ブロック(10)。
【請求項７】
側壁(56,57)は、内表面(56a,57a)と外表面(56b,57b)を有しており、２つの側壁(56,57)の外表面(56b,57b)間の距離は、暗渠ブロックの幅を形成し、該幅寸法は、４５ｃｍ(約１８インチ)である、請求項１に記載の暗渠ブロック(10)。
【請求項８】
中央分離壁(58)は分割可能であって、暗渠ブロック(10)は、２以上の、より小さなブロックに分離できる、請求項１に記載の暗渠ブロック(10)。
【請求項９】
路分離壁(58)は傾斜している、請求項１に記載の暗渠ブロック(10)。
【請求項１０】
路分離壁(58)は湾曲している、請求項１に記載の暗渠ブロック(10)。
【請求項１１】
隣接する暗渠ブロックは、ロック機構によって連結されている、請求項１に記載の暗渠ブロック(10)。
【請求項１２】
ロック機構は、ベル(55a)とスピゴット(55b)を具えており、スピゴットは、スナップ式ロックタブを有する、請求項１１に記載の暗渠ブロック(10)。
【請求項１３】
複数個の連結された暗渠ブロックは、長さが６ｍ(約２０フィート)から１２ｍ(約４０フィート)の範囲の共通する主分配通路を形成している、請求項１に記載の暗渠ブロック(10)。
【請求項１４】
連結された複数個の暗渠ブロックは、６ｍ(約２０フィート)から１２ｍ(約４０フィート)の範囲の長さの共通する副分配通路を形成している、請求項１に記載の暗渠ブロック(10)。
【請求項１５】
空気逆洗と水逆洗システムを有する濾材システムの暗渠ブロック(10)において、暗渠ブロック(10)は、
空気及び水放出孔(53)を複数形成した上壁(52)；
底壁(54)及び、上壁(52)と底壁(54)を繋ぐ２つの側壁(56,57)を有し、該側壁(56,57)は、内表面(56a,57a)と外表面(56b,57b)を具え、側壁(56,57)の外表面(56b,57b)間の距離は、３０ｃｍ(約１２インチ)から６０ｃｍ(約２４インチ)の範囲内にあり、暗渠ブロックの高さは１７.８ｃｍ(約７インチ)から２２.９ｃｍ(約９インチ)の範囲内である２つの側壁(56,57)；
第１主分配通路(20a)と第２主分配通路(20b)を形成する中央分離壁(58)及び第１副分配通路(30a)と第２副分配通路(30b)を形成する複数の路分離壁(25x,25y)を有し、２つの副分配通路(30a,30b)は、１以上の路分離壁(25x,25y)によって２つの主分配通路(20a,20b)とは分離されており、路分離壁(25x,25y)には、上部分(27)と下部分(28)があって、路分離壁(25x,25y)の上部分(27)には、複数の空気分配孔(44)を形成、路分離壁(25x,25y)の下部分(28)には、複数の水分配孔(42)を形成しており；
路分離壁(25x,25y)の下部分は底壁(54)から垂直に立ち上り、路分離壁の上部分は約１２０°から１２５°の範囲内の角度で傾斜しており；
中央分離壁(58)は上壁(52)と底壁(54)の間に伸び、該中央分離壁(58)は、第１主分配通路(20a)を第２主分配通路(20b)から分離し、更に第１副分配通路(30a)を第２副分配通路(30b)から分離しており、該中央分離壁は分割可能であって、暗渠ブロックは、２つの使用可能な２分の１の大きさのブロックに分離できる厚さを具えている；
濾材システムの暗渠ブロック。
【請求項１６】
暗渠ブロック(10)は更に、第１端と第２端を有し、第１端にはベル(55a)が配備され、第２端にはスピゴット(55b)が配備され、スピゴットを具えた端部は、スナップ式ロックタブを有しており、隣のブロックと、ロック機構によって互いに保持されている、請求項１５に記載の暗渠ブロック(10)。
【請求項１７】
主分配通路(20a,20b)は、上領域(22)、中間領域(24)、下領域(26)を有し、上領域は空気を流通させ、下領域は水を流通させ、中間領域は空気／水境界層を含む、請求項１５に記載の暗渠ブロック(10)。
【請求項１８】
副分配通路(30a,30b)は、空気と水の混合(26)を流通させる、請求項１５に記載の暗渠ブロック(10)。
【請求項１９】
２つの側壁(56,57)の外表面(56b,57b)間の距離は４５ｃｍ(約１８インチ)の寸法である、請求項１５に記載の暗渠ブロック(10)。
【請求項２０】
暗渠ブロック(10)の高さは、１５ｃｍ(約６インチ)から２５ｃｍ(約１０インチ)の範囲内である、請求項１５に記載の暗渠ブロック(10)。
【請求項２１】
中央分離壁(58)は分離可能であって、暗渠ブロック(10)は、２つ以上の、より小さなブロックに分離できる、請求項１５に記載の暗渠ブロック(10)。
【請求項２２】
上壁(52)と下壁(54)の間の路分離壁(25x,25y)は傾斜している、請求項１５に記載の暗渠ブロック(10)。
【請求項２３】
上壁(52)と下壁(54)の間の路分離壁(58)は湾曲している、請求項１５に記載の暗渠ブロック(10)。
【請求項２４】
互いに連結された複数個の暗渠ブロックは、長さが６ｍ(約２０フィート)から１２ｍ(約４０フィート)の範囲内にある共通の副分配通路を形成している、請求項１５に記載の暗渠ブロック(10)。
【手続補正２】
【補正対象書類名】明細書
【補正対象項目名】００１９
【補正方法】変更
【補正の内容】
【００１９】
図面を参照すると、図１は、本発明の１つの望ましい実施例を示している。概して、望ましい暗渠ブロック(10)は、上壁(52)、底壁(54)、２つの側壁(56)(57)、及び複数の内壁(25x)(25y)(58)を具え、該内壁は、複数の主路(20a)(20b)と複数の副路(30a)(30b)を形成している。主路(20a)(20b)と副路(30a)(30b)は、暗渠ブロック(10)の長手方向の軸に対し、互いに平行に伸びているため、複数のブロック(10)が互いに連結されると、空気及び水の分配通路を形成する。濾過システムによって濾過された廃水は、副通路を通り、主路(20a)(20b)の中に入り、ブロック(10)中に開設された底部の貫通孔か、又は主路(20a)(20b)の端部の貫通孔のどちらかから出てくる。逆洗空気及び逆洗水は、主路を水平に通り抜け、路分離壁(25x)(25y)の空気及び水の孔(42)(44)によって副路へ運ばれて濾材へ入る。逆洗空気及び水は、副路(30a)(30b)を垂直に通り抜け、濾材へ入る(図示せず)。空気配管又はヘッダー(80)は、底壁(54)の下に位置し、濾過システムの空気逆洗のために、加圧空気を路(20a)(20b)に送り込む。空気立上がりパイプ(82)は、空気ヘッダーの底部から出て、空気を暗渠ブロック(10)に送る。或いは、空気ヘッダーは、上方からブロック(10)に送り込み、ドロップパイプ(図示せず)を通じてブロック中に入れることができる。フィルター(図示せず)の底の樋は、廃水をフィルターから運び出し、逆洗水を主路(20a)(20b)の中へ運び込む。主路(20a)(20b)は、流通空気及び水のための共通した分配通路である。望ましくは、主路(20a)(20b)は、空気を流通させる上領域(22)と、水を流通させる下領域(26)と、空気と水が相接する中間領域(24)を有している。路分離壁(25x)(25y)は、主路(20a)(20b)と副路(30a)(30b)を分離する。路分離壁(25x)(25y)は、上部分(28)と下部分(27)を有している。上部分(28)は、主路(20a)(20b)と副路(30a)(30b)間の流通のための複数の空気分配孔(44)を形成している。下部分(27)は、主路(20a)(20b)と副路(30a)(30b)間の流通のための複数の水分配孔(42)を形成している。望ましくは、暗渠ブロック(10)は、第１主路(20a)、第２主路(20b)、第１副路(30a)及び第２副路(30b)を有している。
【手続補正３】
【補正対象書類名】明細書
【補正対象項目名】００２１
【補正方法】変更
【補正の内容】
【００２１】
１つの望ましい実施例では、図２で示す通り、路分離壁は湾曲している(25a)(25b)。或いは、図１では、傾斜した路分離壁(25x)(25y)を有する暗渠ブロックを示している。主路(20a)(20b)及び副路(30a)(30b)の内部構造によって、逆洗空気及び水はより均一に分配される。路分離壁(25x)(25y)は、路の長さ端まで逆洗空気を流通させる主路(20a)(20b)のための、より大きな流域を提供する。湾曲した路分離壁(25x)(25y)を具えた暗渠ブロック(10)は、６５．４平方インチの主路領域を有する、傾斜した路分離壁(25x)(25y)を具えたブロックと較べて、約６８．２平方インチの主路領域を有することが望ましい。図１の傾斜した路壁ブロック(10)の主路領域も又、大きい。何故なら、路壁(25x)(25y)が底壁(54)から垂直に上り、望ましくは１２２°の角度にて頂部の方向へ傾斜しているためである。その結果、路(20a)(20b)(30a)(30b)は、より長くすることが出来、空気が、より均一に濾材全体に分配されるようになる。空気／水の量が大きくなればなる程、そして十分に低い流速のときは、摩擦による圧力低下は減少し、均一な分配が維持される。本発明の暗渠ブロック(10)は、互いに連結されて、路(20a)(20b)(30a)(30b)を約４０フィートの長さにまで形成でき、所定のポイントに於て平均工業標準値のプラス又はマイナス５％に保つことが出来る。本発明以前は、路の長さは、１６フィートしかなかった。